(57)【要約】      （修正有）【課題】位置検出方法およびそれによる位置情報検出システムやそれに用いる通信端末装置のコストダウン、小型化を提案する。【解決手段】通信端末装置と基地局との通信により、所定のエリア情報を基地局に通信する位置情報検出方法において、前記通信端末装置は、基地局から所定数に分割された第１の地図をデータ処理手段に取得し表示する段階、前記第１の地図から第１の部分地図を選択する段階、基地局へ前記第１の部分地図に予め割り当てられたデータを送信する段階、基地局から前記第１の部分地図が所定数に分割されてなる第ｎ（ｎは２以上の自然数とする）の地図を取得し表示する段階、前記第ｎの地図から第ｎの部分地図を選択する段階、基地局へ前記第ｎの部分地図に対し割り当てられたデータを送信する段階を有することを特徴とする位置情報検出方法を提案する。【選択図】図１
2005167954.tif 000002
【特許請求の範囲】
【請求項１】
表示手段とデータ処理手段、操作手段を有する通信端末装置と基地局との通信により、所定のエリア情報を基地局に通信する位置情報検出方法において、
前記通信端末装置は、
基地局から所定数に分割された第１の地図をデータ処理手段に取得する段階、
表示手段に、前記第１の地図を表示する段階、
操作手段により、前記第１の地図から第１の部分地図を選択する段階、
データ処理手段により、基地局へ前記第１の部分地図に予め割り当てられたデータを送信する段階、
基地局から前記第１の部分地図が所定数に分割されてなる第ｎ（ｎは２以上の自然数とする）の地図をデータ処理手段に取得する段階、
表示手段に、前記第ｎの地図を表示する段階、
操作手段により、前記第ｎの地図から第ｎの部分地図を選択する段階、
データ処理手段により、基地局へ前記第ｎの部分地図に対し割り当てられたデータを送信する段階を有することを特徴とする位置情報検出方法。
【請求項２】
前記通信端末装置と基地局の通信は、インターネットを介して行われることを特徴とする請求項１記載の位置情報検出方法。
【請求項３】
請求項１記載の位置情報検出方法を用いた位置情報検出システム。
【請求項４】
請求項３記載の位置情報検出システムに用いる通信端末装置。
【発明の詳細な説明】
【技術分野】
【０００１】  本発明は、携帯電話やＰＨＳ等の携帯通信端末装置や自動車電話等の移動体通信装置等を用いた位置検出システム並びにそれに用いる通信端末装置に関する。
【背景技術】
【０００２】  特開２００２−１５２８０８号公報にて開示された従来技術について説明する。
前記公報では、携帯通信端末装置にＧＰＳを組込み、消費電力の増大をさほど招かず、前記携帯通信端末装置の位置を精度良く求めることができる携帯通信端末装置ならびにその位置検出方法が記載されている。
【特許文献１】  特開２００２−１５２８０８号公報
【発明の開示】
【発明が解決しようとする課題】
【０００３】  従来技術の携帯通信端末装置では、ＧＰＳを携帯通信装置に組込んでいるため、携帯通信端末装置が大掛かり（形状の増大、重量の増大等）になると言う欠点があった。【０００４】  さらに、数メートル〜数十メートルの範囲内で概略の場所検知ができれば十分な用途に対しては、従来技術のようなＧＰＳによる高精度な検知は過剰品質となる上、そのような検知方法に対応するシステムや環境も大掛かりなものが必要となる。したがって、携帯通信端末装置及びシステム環境の構築並びに整備等に高コストを要すると言う欠点があった。【０００５】  本発明は、上記の問題を解決するためになされたものであり、数メートル〜数十メートルの範囲内での場所検知ができれば十分な用途に対して適用される位置情報検出システムの過剰品質及び通信負荷の軽減を可能にする位置情報検出方法の提案、前記位置情報検出方法を用いることによる位置情報検出システムの簡易化、低コスト化、前記システムを用いた通信端末装置の小型化、低コスト化を実現することを目的とする。
【課題を解決するための手段】
【０００６】  上記目的を達成するため、本発明の位置情報検出方法は、表示手段とデータ処理手段、操作手段を有する通信端末装置と基地局との通信により、所定のエリア情報を基地局に通信する位置情報検出方法において、
前記通信端末装置は、基地局から所定数に分割された第１の地図をデータ処理手段に取得する段階、表示手段に、前記第１の地図を表示する段階、操作手段により、前記第１の地図から第１の部分地図を選択する段階、データ処理手段により、基地局へ前記第１の部分地図に予め割り当てられたデータを送信する段階、基地局から前記第１の部分地図が所定数に分割されてなる第ｎ（ｎは２以上の自然数とする）の地図をデータ処理手段に取得する段階、表示手段に、前記第ｎの地図を表示する段階、操作手段により、前記第ｎの地図から第ｎの部分地図を選択する段階、データ処理手段により、基地局へ前記第ｎの部分地図に対し割り当てられたデータを送信する段階を有することを特徴としている。【０００７】  上記発明において好ましくは、前記通信端末装置と基地局の通信は、インターネットを介して行われることを特徴としている。【０００８】  さらに、上記目的を達成するため、本発明の位置情報検出システムは、請求項１記載の位置情報検出方法を用いた位置情報検出システムであることを特徴としている。【０００９】さらに、上記目的を達成するため、本発明の通信端末装置は、請求項３記載の位置情報検出システムに用いる通信端末装置であることを特徴としている。
【発明の効果】
【００１０】  本発明によれば、下記の発明を実施するための最良の形態に説明するように、ある特定の地域（市町村等の狭いエリア）内で、探索者がその地域の地理的な情報を良く知っている場合においては、複数の段階を経て地図を細かく絞り込んでいくことにより、ＧＰＳ等を用いなくても通信端末装置１を所持する人４の場所を絞り込んでいくことが可能になる。数メートル〜十数メートルの範囲内にまでの絞り込みが完了すれば、探索者がその地域の地理的な情報を良く知っている場合においては、絞り込んだ前記エリアの範囲内で配車を待つ人４を探すのは比較的容易であるため、ＧＰＳを用いた高精度な検知は不要である。したがって、従来技術のようにＧＰＳ等を携帯通信装置に組込んだ大掛かりで高価な装置でなくとも、簡単な方法による位置情報検出方法を提供でき、前記位置情報検出方法を用いることにより通信端末装置にかかる負荷も軽減でき、低コストで運営できる位置情報検出システムを構築できる。また、それに用いる通信端末装置もＧＰＳが不要な分、かかる負荷も軽減でき、小型化、低コスト化が可能となる。
【発明を実施するための最良の形態】
【００１１】  図１ないし図９により、本発明の実施の形態について説明する。図１は本発明による通信端末装置１のブロック図である。データ処理手段１４、表示手段１２、操作手段１３を具備し、データ処理手段１４は演算手段１５、記憶手段１６を含む構成である。【００１２】  図２は、本発明による通信端末装置１の本体を具体的に示した説明図である。ここでは携帯電話による通信端末装置１を示しており、表示手段１２なる表示画面２、操作手段１３なる操作部３を有する。該通信端末装置１は、携帯電話に限るものではなく、ＰＨＳ、ＰＤＡ等であっても構わない。データ処理手段１４なるデータ処理部は通信端末装置１の内部に搭載されており、演算手段１５なる演算装置（不図示）、記憶手段１６なる記憶装置（不図示）などを含んでいる。表示画面２には、所定数（ここでは２つ）に分割された地図１００が表示されている。【００１３】  図３は、本発明の場所検知システムの概略を示しており、基地局７なるタクシー会社と、通信端末装置１を操作することによりタクシーを呼ぼうとする人４の間の通信例を実施例として併せて示している。
通信端末装置１から送信される情報は無線９によりプロバイダーなどの通信インフラ会社５に送信されインターネット６に接続される。該インターネット６を介して基地局７なるタクシー会社に通信される。
また、基地局７からは、通信端末装置１が要求した第１ないし第ｎの地図やその他の情報が前記の経路と逆の経路と辿って通信端末装置１に送信される。通信端末装置１と基地局７の間で地図情報を主体とする情報のやりとりを何度か行った末、基地局７は通信端末装置１の場所すなわち人４の場所を絞り込み、特定する。これにより、本実施例でのタクシー会社は人４の場所を検知可能となり、人４に向けたタクシーの配車が可能となる。【００１４】  次に図４ないし図９を用いて、通信端末装置１を用いた場所の絞り込み方法について説明する。
人４は、通信端末装置１を通じて基地局７側が運営するホームページやサイトなどにアクセスし、図９にフローチャートを示すタクシーの配車システムのプログラムを起動する。人４が携帯する通信端末装置１には、前記配車システムがロードされ、人４は所定の地図エリアを選択する。通信端末装置１の表示画面２は前記選択された地図エリアが表示される。ここで、最初に選択される地図エリアは、人４がその時タクシーを呼ぼうとしている場所の都市（市、群、町、村等）等の比較的小規模の地図である。ここでは、人４は現在奈良県生駒市のある場所でタクシーを呼ぼうとしている。アクセスした基地局は生駒市内のタクシー会社である。【００１５】  通信端末装置１の表示画面２には該通信端末装置１が該基地局７から取得した該生駒市の地図１０１（第１の地図）が南北に２分割され表示されている。該基地局７からの取得とは、通常、基地局が運営する所定のサイト、あるいはホームページからロードする等の作業である。今後、基地局７のサイトから取得する、あるいはサイトから取得すると言う表現も基地局７から取得すると言う表現と同様の意味として用いることにする。サイトから取得した地図は、地図の形状に応じた分割数で縦・横共適宜分割されて表示される。ここでは、該分割はサイト側で予め設定されているが、人４が希望の分割数を入力して地図を分割する構成であっても構わない。【００１６】  次に、人４は通信端末装置１の操作部３を操作することにより、現在自分自身がいる場所を含む生駒市の南側半分を含む分割地図１０２（第１の分割地図）を選択する。通信端末装置１が、操作手段により、前記第１の地図から第１の部分地図を選択する段階に相当する。表示画面２の前記分割地図１０２側には前記選択を表す黒線枠１０３（以後、該黒枠をカーソルと表現する場合もある。）が表示されている。【００１７】  次に、通信端末装置１は、データ処理手段１４により、基地局へ前記第１の部分地図に対し予め割り当てられたデータを送信する。該データは前記分割地図１０２側の左上部にも表示されており数字２あるいはこれに他の情報も付加した対応する数字等で割り当てられる。ここでは、該割り当てにより、前記データとして、数値２を送信する。送信に際しては必要に応じて適宜暗号化等も実施される。【００１８】  基地局２は、第１の部分地図１０２に割り当てられたデータ２を受け取ることにより、該第１の部分地図１０２で示される地図領域（ここでは、生駒市の南半分の領域）をさらに９分割した第２の地図１０４（図５）を通信端末装置１に送信する。
通信端末装置１は前記第２の地図１０４を取得し、表示画面２に前記第２の地図１０４を表示する。【００１９】  次に、人４は通信端末装置１の操作部３を操作することにより、現在自分自身がいる場所を含む分割地図（なばた駅からみなみいこま駅付近の範囲を含む分割地図）１０５（第２の分割地図）を選択する。通信端末装置１が、操作手段により、前記第ｎの地図から第ｎの部分地図を選択する段階（ｎは２以上の自然数、ここではｎ＝２）に相当する。表示画面２の前記分割地図１０５には前記選択を表すカーソル１０６が表示されている。【００２０】  次に、通信端末装置１は、データ処理手段１４により、基地局へ前記第２の部分地図１０５に対し割り当てられたデータを送信する。該データは前記分割地図１０５の左上部に表示された数字５等から割り当てられる。ここでは、該割り当てにより、前記データとして、数値５を送信する。【００２１】  基地局２は、前記第２の部分地図１０５に割り当てられたデータ５を受け取ることにより、さらに、該第２の部分地図１０５で示されるエリアを９分割した第３の地図１０７（図６）を通信端末装置１に送信する。通信端末装置１は前記第３の地図１０７を取得し、表示画面２に前記第３の地図１０７を表示する。【００２２】  次に、人４は通信端末装置１の操作部３を操作することにより、現在自分自身がいる場所を含む分割地図（みなみいこま駅近辺の分割地図）１０８（第３の分割地図）を選択する。通信端末装置１が、操作手段により、前記第ｎの地図から第ｎの部分地図を選択する段階（ｎは２以上の自然数、ここではｎ＝３）に相当する。表示画面２の前記分割地図１０８には前記選択を表すカーソル１０９が表示されている。【００２３】  次に、通信端末装置１は、データ処理手段１４により、基地局へ前記第３の部分地図１０８に対し割り当てられたデータを送信する。該データは前記分割地図１０８の左上部に表示された数字８等から割り当てられる。ここでは、該割り当てにより、前記データとして、数値８を送信する。【００２４】  基地局２は、前記第３の部分地図１０８に割り当てられたデータ８を受け取ることにより、さらに、該第３の部分地図１０８で示されるエリアを９分割した第４の地図１１０（みなみいこま駅近辺をさらに拡大した分割地図、図７）を通信端末装置１に送信する。
通信端末装置１は前記第３の地図１１０を取得し、表示画面２に前記第３の地図１１０を表示する。【００２５】  次に、人４は通信端末装置１の操作部３を操作することにより、現在自分自身がいる場所を含む分割地図（みなみいこま駅近辺のさらなる分割地図）１１１（第４の分割地図）を選択する。通信端末装置１が、操作手段により、前記第ｎの地図から第ｎの部分地図を選択する段階（ｎは２以上の自然数、ここではｎ＝４）に相当する。表示画面２の前記分割地図１１１には前記選択を表すカーソル１１２が表示されている。【００２６】  次に、通信端末装置１は、データ処理手段１４により、基地局へ前記第４の部分地図１１１に対し割り当てられたデータを送信する。該データは前記分割地図１１１の左上部に表示された数字５等から割り当てられる。ここでは、該割り当てにより、前記データとして、数値５を送信する。【００２７】  基地局２は、前記第４の部分地図１１１に割り当てられたデータ５を受け取ることにより、さらに、該第４の部分地図１１１で示されるエリアを９分割した第５の地図１１３（みなみいこま駅近辺をさらに拡大した分割地図、図８）を通信端末装置１に送信する。
通信端末装置１は前記第３の地図１１３を取得し、表示画面２に前記第３の地図１１３を表示する。【００２８】  次に、人４は通信端末装置１の操作部３を操作することにより、現在自分自身がいる場所を含む分割地図（みなみいこま駅近辺のさらなる分割地図）１１４（第５の分割地図）を選択する。情報端末１が、操作手段により、前記第ｎの地図から第ｎの部分地図を選択する段階（ｎは２以上の自然数、ここではｎ＝５）に相当する。表示画面２の前記分割地図１１４には前記選択を表すカーソル１１５が表示されている。【００２９】  次に、通信端末装置１は、データ処理手段１４により、基地局へ前記第５の部分地図１１４に対し割り当てられたデータを送信する。該データは前記分割地図１１４の左上部に表示された数字５等から割り当てられる。ここでは、該割り当てにより、前記データとして、数値５を送信する。【００３０】  基地局２は、前記第５の部分地図１１４に割り当てられたデータ５を受け取る。基地局７では、これまで受け取った各段階の地図に割り当てられたデータを順に組合せることにより、以下の数値列からなるデータ列を作成する。
データ列：２５８５５
即ち、前記データ列の左側より、通信端末装置１から基地局７に送信された、
第１の部分地図１０２に対し割り当てられたデータ２、
第２の部分地図１０５に対し割り当てられたデータ５、
第３の部分地図１０８に対し割り当てられたデータ８、
第４の部分地図１１１に対し割り当てられたデータ５、
第５の部分地図１１４に対し割り当てられたデータ５により順に前記データ列を作成する。基地局では、前記データ列に基づき、通信端末装置１を持つ人４の場所がみなみいこま駅前付近の部分地図１１４で示される領域内であることを絞り込み特定することができる。さらに、特定が完了すると人４が所持する通信端末装置１に対し、場所の絞込みが完了した旨の情報を送信する。また、近辺に在するタクシーに該データ列を連絡することにより、該タクシーに装備された表示装置（不図示）にも、該データ列に基づく南生駒駅前の地図（前記分割地図１１４と同様のエリアを示す地図）を表示させることにより、人４のもとへ該タクシーの配車が可能となる。【００３１】  また、基地局から通信端末装置１側への地図の取得については、すべての段階の、すべての分割地図をサイトから取得するのではなく、人４自身が在している分割地図のみを各段階で取得し、取得に際しては前段階の地図情報を更新するので、通信端末装置１の記憶手段１６等にかかる負荷が軽減できる。【００３２】  なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００３３】
【図１】本発明の通信端末装置１のブロック図。
【図２】本発明の通信端末装置１の本体を示した説明図。
【図３】本発明の位置情報検出システムの概略図。
【図４】本発明の通信端末装置に表示された地図。
【図５】本発明の通信端末装置に表示された他の地図。
【図６】本発明の通信端末装置に表示された他の地図。
【図７】本発明の通信端末装置に表示された他の地図。
【図８】本発明の通信端末装置に表示された他の地図。
【図９】本発明のフローチャート。
【符号の説明】
【００３４】１      通信端末装置
２      表示画面
３      操作部
４      人
５      通信インフラ会社
６      インターネット
７      基地局
８      タクシー
９      無線
１２    表示手段
１３    操作手段
１４    データ処理手段
１５    演算手段
１６    記憶手段
【図１】
2005167954.tif 000003
【図２】
2005167954.tif 000004
【図３】
2005167954.tif 000005
【図４】
2005167954.tif 000006
【図５】
2005167954.tif 000007
【図６】
2005167954.tif 000008
【図７】
2005167954.tif 000009
【図８】
2005167954.tif 000010
【図９】
2005167954.tif 000011